(57)【要約】集中抵抗電気ケーブルは、第１及び第２導電線並びにツイスト及び非ツイストの部分を有する多数のツイスト・ペア・リボン・ケーブルを有する。非ツイスト部分において、ツイスト・ペアの夫々の導電線の１つが電気的開放と共に形成される。抵抗要素及び電気接点を有する抵抗ブロックは、非ツイスト部分に配置され、電気接点は、導電船内の電気的開放を跨いで抵抗要素を電気的に結合する。コネクタの他の電気接点は、抵抗ブロックに形成された接地面にツイスト・ペアの他の導電線を結合させる。
2009536782.tif 000002
【特許請求の範囲】
【請求項１】
複数のツイスト・ペア電線を有するリボン・ケーブルを具え、上記ツイスト・ペア電線の各々が第１及び第２導電線並びに少なくとも第１非ツイスト部分を有し、上記複数のツイスト・ペア電線の各々が上記非ツイスト部分にて上記第１及び第２導電線の一方に形成された電気的開放を有し、
ハウジングを有する上記ツイスト・ペア電線の上記非ツイスト部分に配置された抵抗ブロックを具え、第１ハウジング部材が、そこから延び上記ツイスト・ペア電線の上記第１及び第２導電線の各々に電気的に結合された導電接点を有し、上記導電接点が上記第１及び第２導電線の一方での上記電気的開放のいずれかの側で且つ上記第１及び第２導電線の他方に向かって配置され、抵抗要素が上記電気的開放に跨る上記導電接点と電気的に結合し、上記ハウジングが上記第１ハウジング部材と固定的にかみ合う第２ハウジングを有して、これらの間の上記ツイスト・ペア電線の上記非ツイスト部分を捕捉することを特徴とする集中抵抗電気ケーブル。
【請求項２】
複数のツイスト・ペア電線を有するリボン・ケーブルを更に具え、上記ツイスト・ペア電線の各々が複数の非ツイスト部分を有することを特徴とする請求項１の集中抵抗電気ケーブル。
【請求項３】
上記ツイスト・ペア電線の複数の非ツイスト部分の各々が、上記非ツイスト部分での上記第１及び第２導電線の一方に形成された電気的開放を有することを特徴とする請求項２の集中抵抗電気ケーブル。
【請求項４】
上記ツイスト・ペア電線の複数の非ツイスト部分の各々に配置された抵抗ブロックを更に具え、各抵抗ブロックがハウジングを有し、ハウジングが第１ハウジング部材を有し、導電接点がそこから延びて上記ツイスト・ペア電線の上記第１及び第２導電線の各々に電気的に結合し、上記導電接点が上記第１及び第２導電線の一方の電気的開放のいずれかの側で且つ上記第１及び第２導電線の他方に向かって配置され、抵抗要素が上記電気的開放を跨ぐ上記導電接点に電気的に結合し、上記ハウジングが上記第１ハウジング部材と固定的にかみ合う第２ハウジング部材を有して、これらの間の上記ツイスト・ペア電線の上記非ツイスト部分を捕捉することを特徴とする請求項３の集中抵抗ケーブル。
【請求項５】
上記第１ハウジング部材が形成され、その凹部が支持部材に取り付けられた上記導電接点を受け、上記支持部材が上記電気的開放のいずれかの側の導電接点に電気的に結合されて配置された抵抗要素を有することを特徴とする請求項１の集中抵抗ケーブル。
【請求項６】
上記抵抗要素は、上記支持部材内に配置された導電ビアを介して上記導電接点に電気的に結合された個別の抵抗器であることを特徴とする請求項５の集中抵抗ケーブル。
【請求項７】
上記支持部材は、上記抵抗要素の反対の表面に配置され、上記ツイスト・ペア電線の第１及び第２導電線の他方に電気的に結合された導電接点に電気的に結合された接地面を更に具えることを特徴とする請求項６の集中抵抗ケーブル。
【請求項８】
上記抵抗要素は、上記支持部材内の中間面上に配置され、上記支持部材内に配置された導電ビアを介して上記導電接点に電気的に結合された厚膜抵抗であることを特徴とする請求項５の集中抵抗ケーブル。
【請求項９】
上記導電接点を受ける表面上に配置され、上記ツイスト・ペア電線の上記第１及び第２導電線の他方に電気的に結合された上記導電接点に電気的に結合された接地面を更に具えたことを特徴とする請求項８の集中抵抗ケーブル。
【請求項１０】
上記複数のツイスト・ペア電線の上記第１及び第２導電線の各々に電気的に結合された導電電接点を有する上記リボン・ケーブルの一端に配置された電気コネクタと、上記複数のツイスト・ペア電線の上記第２１及び第２導電線の各々に電気的に結合されたプローブ・チップを有する上記リボン・ケーブルの他端に配置されたプローブ・チップ・アセンブリとを更に具える請求項１の集中抵抗ケーブル。
【請求項１１】
上記ツイスト・ペア導電線の上記第１及び第２導電線の一方にて上記電気的開放を跨いで電気的に結合された抵抗要素を有する複数のリボン・ケーブルを更に具え、各リボン・ケーブルが上記リボン・ケーブルの一端に配置された第１電気コネクタと上記リボン・ケーブルの他端に配置された第２電気コネクタとを有し、各コネクタが上記複数のツイスト・ペア導電線の上記第１及び第２導電線の各々に電気的に結合された電気接点を有することを特徴とする請求項１０の集中抵抗ケーブル。
【請求項１２】
上記プローブ・チップ・アセンブリを有する上記リボン・ケーブルの上記電気コネクタが上記複数のリボン・ケーブルの上記第１及び第２電気コネクタの一方とかみ合い、上記他の複数のリボン・ケーブルの上記第１電気コネクタが上記他の複数のリボン・ケーブルの上記第２電気コネクタをかみ合い且つ電気的に結合されることを特徴とする請求項１１の集中抵抗ケーブル。
【請求項１３】
複数のツイスト・ペア電線を有するリボン・ケーブルを具え、上記ツイスト・ペア電線の各々が複数の非ツイスト部分を有し、上記複数のツイスト・ペア電線の各々が上記非ツイスト部分にて上記電線の一つに形成された電気的開放を有し、
上記ツイスト・ペア電線の上記複数の非ツイスト部分の各々に配置された抵抗ブロックを具え、各抵抗ブロックがハウジングを有し、第１ハウジング部材がそこから延び且つツイスト・ペア電線の電線の各々に電気的に結合された導電接点を有し、上記導電接点が上記電気的開放のいずれかの側と一線状で上記他の電線に向かって配置され、抵抗要素が上記電気的開放を跨いで上記導電接点に電気的に結合され、上記ハウジングが上記第１ハウジング部材と固定的にかみ合わされた第２ハウジング部材を有して、それらの間の上記ツイスト・ペア電線の非ツイスト部分を捕捉することを特徴とする集中抵抗電気ケーブル。
【請求項１４】
上記第１ハウジング部材は、凹部と共に形成されて支持部材状に取り付けられた導電接点を受け、上記支持部材は、上記電気的開放のいずれかの側の導電接点に電気的に結合されるように配置された抵抗要素を有することを特徴とする請求項１３の集中抵抗電気ケーブル。
【請求項１５】
上記抵抗要素は、上記支持部材に配置された導電ビアを介して上記導電接点に電気的に結合された個別抵抗であることを特徴とする請求項１４の集中抵抗電気ケーブル。
【請求項１６】
上記支持部材は、上記抵抗要素の反対面に配置され且つ上記ツイスト・ペア電線の上記他の電線に電気的に結合された導電接点に電気的に結合された接地面を更に具えることを特徴とする請求項１５の集中抵抗電気ケーブル。
【請求項１７】
上記抵抗要素は、上記支持部材の中間面状に配置され且つ上記支持部材に配置された導電ビアを介して上記導電接点に電気的に結合された厚膜抵抗であることを特徴とする請求項１４の集中抵抗電気ケーブル。
【請求項１８】
上記支持部材は、上記導電接点を受ける面上に配置され且つ上記ツイスト・ペア電線の上記他の電線に電気的に結合された上記導電接点に電気的に結合された接地面を更に具えることを特徴とする請求項１７の集中抵抗電気ケーブル。
【請求項１９】
上記複数のツイスト・ペア電線の各電線に電気的に結合した電気接点を有する上記リボン・ケーブルの一端に配置された電気コネクタと、上記複数のツイスト・ペア電線の各電線に電気的に結合されたプローブ・チップを有する上記リボン・ケーブルの他端に配置されたプローブ・チップ部材とを更に具えることを特徴とする請求項１３の集中抵抗電気ケーブル。
【請求項２０】
少なくとも第１及び第２リボン・ケーブルを具え、各リボン・ケーブルが複数のツイスト・ペア電線を有し、上記ツイスト・ペア電線の各々が第１及び第２導電線を有し、
少なくとも第１及び第２電気コネクタを具え、上記第１及び第２電気コネクタの一方が上記第１リボン・ケーブルの一端に取り付けられ、上記第２電気コネクタが上記第２リボン・ケーブルの一端に取り付けられ、各電気コネクタが複数の導電接点を有し、各導電接点が上記第１及び第２リボン・ケーブルの一方の上記導電線の１つに電気的に結合され、
サブストレートに取り付けられた第１及び第２電気コネクタを有する抵抗ブロックを具え、上記第１及び第２電気コネクタの各々が複数の導電接点を有し、上記抵抗ブロックの第１及び第２電気コネクタの上記導電接点の各々が上記リボン・ケーブルの第１及び第２電気コネクタの上記導電接点の１つに電気的に結合され、上記サブストレートが複数の抵抗要素を具え、上記ツイスト・ペア電線の各々の上記導電線の１つに電気的に結合された上記第１及び第２抵抗ブロック・コネクタの第１組の上記導電接点に各抵抗要素が電気的に結合され、上記ツイスト・ペア電線の各々の他の上記導電線に電気的に結合された上記サブストレート上に形成された接地面に上記第１及び第２抵抗ブロック電気コネクタの第２組の上記導電接点が電気的に結合されたことを特徴とする集中抵抗電気ケーブル。
【請求項２１】
上記複数のツイスト・ペア電線の上記第１及び第２導電線の各々に電気的に結合されたプローブ・チップを有する上記第１及び第２リボン・ケーブルの一方の対抗端に配置されたプローブ・チップ部材と、上記第１及び第２リボン・ケーブルの他方の対抗端に取り付けられた別の電気コネクタとを更に具えたことを特徴とする請求項２０の集中抵抗電気ケーブル。
【請求項２２】
複数のリボン・ケーブルを更に具え、各リボン・ケーブルが複数のツイスト・ペア電線を有し、上記ツイスト・ペア電線の各々が第１及び第２導電線を有し、上記複数のリボン・ケーブルの各々が少なくとも第１及び第２電気コネクタを有し、各電気コネクタが複数の導電接点を有し、各導電接点が上記ツイスト・ペア電線の上記導電線の１つに電気的に結合され、複数の抵抗ブロックを更に具え、各抵抗ブロックが上記複数のリボン・ケーブルの少なくとも２個の上記電気コネクタの１つと電気的に結合したことを特徴とする請求項２１の集中抵抗電気ケーブル。
【発明の詳細な説明】
【発明の背景】
【０００１】
本発明は、一般に、信号取込みプローブ・ケーブルに関し、特に、分圧信号取込みプローブに用いる集中抵抗電気ケーブルに関する。
【０００２】
現在利用可能な分圧信号取込みプローブは、ニッケル・クロミウム抵抗信号線を用いて必要な損失特性を伝送線に均等に分配するか、又は、プローブ入力に充分近くに配置された受信回路を用いて伝送線効果を除去している。前者の場合、抵抗信号線がプローブの分圧入力回路の回路Ｑを下げて、信号の発振を抑圧している。後者の場合、受信回路は、被試験回路への高い入力インピーダンスと、伝送線の特性インピーダンス、一般的には５０オームに合う特性出力インピーダンスとを有する。
【０００３】
現在使用する抵抗信号線に類似の特性の代わりの信号取込みプローブ電気ケーブルが必要とされている。この信号取込みプローブ電気ケーブルは、多チャネル分圧信号取込みプローブ構造を容易にするものでなければならない。信号取込みプローブは、利用可能な汎用コンポーネント技術を容易に用いものでなければならない。
【発明の概要】
【０００４】
よって、上述の必要性は、多チャネル分圧信号取込みプローブに用いるのに適する集中抵抗電気ケーブルに合致する。この集中抵抗電気ケーブルは、複数のツイスト・ペア電線を有するリボン・ケーブルを具え、各ツイスト・ペアが第１及び第２導電線を有する。ツイスト・ペア・リボン・ケーブルは、少なくとも１つの非ツイスト部分を有する。非ツイスト部分におけるツイスト・ペア電線の第１及び第２導電線の一方は、そこに形成された電気的開放を有する。抵抗ブロックがツイスト・ペア電線の非ツイスト部分に配置される。この抵抗ブロックがハウジングを有し、第１ハウジング部材は、そこから延び、ツイスト・ペア電線の第１及び第２電線の各々に電気的に結合された導電接点を有する。導線接点は、第１及び第２導電線の一方にて電気的開放のいずれかの側の上で、第１及び第２導電線の他方に向かって配置される。抵抗要素は、電気的開放を跨いで導電接点に電気的に結合される。ハウジングは、第１ハウジング部材と固定的にかみ合う第２ハウジング部材を有し、これら２個のハウジング部材の間のツイスト・ペア電線の非ツイスト部分を捕捉する。
【０００５】
抵抗ブロックの第１ハウジング部材は、その凹部と共に実現でき、支持部材に取り付けられた導電接点を受ける。支持部材は、電気的開放の一方の側の導電接点に電気的に結合されるように配置された抵抗要素を有する。抵抗要素は、支持部材内の中間面上に配置され、支持部材に配置された導電ビアを介して導電接点に電気的に結合された厚膜抵抗でもよい。また、抵抗要素は、支持部材内に配置された導電ビアを介して導電接点に電気的に結合された個別の抵抗でもよい。接地面は、支持部材の面に配置され、電気的開放を有さないツイスト・ペア電線の第１及び第２電線の他方に電気的に結合された導電接点に電気的に結合してもよい。
【０００６】
集中抵抗電気ケーブルは、複数の非ツイスト部分を有すツイスト・ペア・リボン・ケーブルと一緒に実現してもよい。非ツイスト部分の各々において、複数のツイスト・ペアの各々における導電線の１つは、電気的開放を有する。ツイスト・ペア電線の非ツイスト部分の各々は、そこに配置された抵抗ブロックを有する。各抵抗ブロックは、導電接点を用いて、ツイスト・ペア電線における電気的開放を跨いで抵抗要素を結合する。他の導電線は、導電接点を用いて、支持部材に配置された接地面にも結合される。
【０００７】
集中抵抗電気ケーブルは、多チャネル分圧信号取込みプローブにて用いることを想定する。かかる実施において、集中抵抗電気ケーブルは、複数のツイスト・ペア電線の導電線の各々に電気的に結合された電気接点を有するリボン・ケーブルの一端に配置された電気コネクタを有する。プローブ・チップ部材は、複数のツイスト・ペア電線の各導電線に電気的に結合されたプローブ・チップを有するリボン・ケーブルの他端に配置される。プローブ・チップは、ツイスト・ペア電線の各々の信号線に結合された各減衰ネットワークを有し、この信号線は、その線内に直列集中抵抗要素を有する。
【０００８】
集中抵抗電気ケーブルは、個別の集中抵抗電気ケーブルを一緒に接続することによって実現してもよい。この実現において、第１電気コネクタがツイスト・ペア集中抵抗リボン・ケーブルの一端に配置され、第２電気コネクタがツイスト・ペア集中抵抗リボン・ケーブルの他端に配置されて、各コネクタは、複数のツイスト・ペア電線の各導電線に電気的に結合された電気接点を有する。ツイスト・ペア集中抵抗リボン・ケーブルの第１電気コネクタは、ツイスト・ペア集中抵抗リボン・ケーブルの第２電気コネクタとかみ合い電気的に結合される。
【０００９】
集中抵抗電気ケーブルの別の実施では、電気コネクタが複数のツイスト・ペアリボン・ケーブルの対抗端に配置される。抵抗ブロックは、サブストレートに取り付けられた第１及び第２電気コネクタを有し、第１及び第２電気コネクタの各々が複数の導電接点を有する。抵抗ブロック電気コネクタの導電接点の各々は、リボン・ケーブル電気コネクタの導電接点の１つに電気的に結合する。サブストレートは複数の抵抗要素を有し、各抵抗要素が抵抗ブロック・コネクタの導電接点の第１組に電気的に結合される。抵抗要素は、リボン・ケーブル・コネクタの導電接点を介してツイスト・ペア電線の各々の導電線の１つに電気的に結合される。抵抗ブロック電気コネクタの導電接点の第２組は、ツイスト・ペア電線の各々の他の導線に電気的に結合されたサブストレート上に形成された接地面に電気的に結合される。多数の抵抗ブロックは、多数のツイスト・ペア・リボン・ケーブルを結合して、このケーブルに沿った多数の集中抵抗を有する長いケーブルを形成する。
【００１０】
本発明の目的、利点及び新規な特徴は、添付の特許請求の範囲及び添付図面を参照した以下の詳細説明から明らかである。
【発明の詳細な説明】
【００１１】
ここで説明する集中抵抗電気ケーブルは、コンピュータ業界で一般に用いる絶縁体無剥離（圧接）技術（ＩＤＣ）を組み込んでいる。この技術は、ＩＤＣリボン・ケーブル及び調和したＩＤＣコネクタを用いる。ＩＤＣ技術は、細いスロットが中心の下となる尖った顎を有するスタッガード導電コネクタを用いて、ケーブル導体又はワイヤの周囲の絶縁体のいくらかを脇にずらすか押す。尖った顎は、ワイヤの周りの絶縁体を貫通し、これらワイヤが導電接点の顎の間のスロットに直接的な電気接続を行う。
【００１２】
図１を参照すると、集中抵抗電気ケーブルで用いるように変更されたＩＤＣリボン・ケーブルの平面図が示されている。リボン・ケーブル１０は、複数のツイスト・ペア電線１２を有しており、各ツイスト・ペアが第１及び第２導電線１４及び１６を有している。ツイスト・ペア電線１２は、絶縁材料１８により包囲されている。ツイスト・ペア・リボン・ケーブル１０は、少なくとも第１非ツイスト平坦部分２０がツイスト・ペア部分２２の間に挟まるように設計されている。非ツイスト平坦部分２０内のツイスト・ペア電線１２は、互いに平行になるように配置されている。集中抵抗電気ケーブルにて用いるために、ツイスト・ペア電線１２の各々の導電線１４又は１６の一方は、リボン・ケーブル１０の平坦部分２０にてワイヤの一部が除去されて、導電線１４又は１６内に電気的開放２４を形成する。図１は、リボン・ケーブル１０内のツイスト・ペア電線１２を示すが、集中抵抗電気ケーブルは、特定の数のツイスト・ペア電線１２に限定されず、より多い又は少ないツイスト・ペア電線１２を有するリボン・ケーブル１０は、集中抵抗電気ケーブルと用いることが意図されている。
【００１３】
図２を参照すると、ツイスト・ペア・リボン・ケーブル１０の非ツイスト平坦部分２０に取り付け可能な抵抗ブロック３０が示されている。抵抗ブロック３０は、ハウジングを有し、第１ハウジング部材３２がツイスト・ペア・リボン・ケーブルの一方の側に位置し、第２ハウジング部材３４が付け１０の他方の側に位置して第１ハウジング部材３２とかみ合って、これら２個のハウジング部材３２及び３４の間でリボン・ケーブル１０を捕捉する。第１ハウジング部材３２は、そこに形成された凹部３６を有し、導電接点４０を固定する支持部材３８を受ける。支持部材３２は、電気コンポーネントを受けるのに適切な回路基板材料又は類似の積層絶縁基板材料で形成されてもよい。導電接点４０は、スロット４４で分離された尖った穿孔部材４２を有するＩＤＣ型接点である。導電接点４０は、ツイスト・ペア電線１４の導電線１４及び１６と揃うように支持部材３８内に配置される。凹部３６は、凹部４６と一緒に形成して、個別の抵抗要素が支持部材３８の上面に位置決めされるのを可能にしてもよい。これについては、詳細に後述する。第１ハウジング部材３２は、第２ハウジング部材３４に形成されたタブ５０を受ける凹部４８を含んでもよい。エポキシの如き接着剤、音波溶接などを用いて、これら凹部４８及びタブ５０を互いに固定できる。代わりに、凹部４８及びタブ５０をラッチ機構で形成して、タブ５０を凹部４８に挿入したときに互いにかみ合うようにしてもよい。更なる代わりに、第１及び第２ハウジング部材３２及び３４をネジで固定してもよく、ネジは第２ハウジング部材３４に形成された開口に挿入されて、第１ハウジング部材３２内のねじ穴にねじ込まれる。
【００１４】
図３を参照すると、ツイスト・ペア・リボン・ケーブル１０に配置された抵抗ブロック３０の平面図が示されている。これまでの図と同様の素子は、図３にて同じ符号で示す。この平面図は、ツイスト・ペア電線１２の導電線１４の電気的開放２４のいずれかの側に配置され、導電線１４に電気的に結合された導電接点４０を示す。また、この平面図は、ツイスト・ペア電線１２の他の導電線１６に配置され電気的に結合された導電接点４０も示す。好ましくは、導電線１６に配置された導電接点４０は、導電線１４に配置された導電接点４０から横方向にオフセットされている。
【００１５】
図４Ａ〜図４Ｃは、ツイスト・ペア・リボン・ケーブル１０に取り付けられた支持部材３８の種々の側面図である。これまでの図と同様の要素は、図４Ａ〜図４Ｃにおいて同じ参照符号で示す。図４Ａは、線Ａ−Ａ’に沿った支持部材３８及びツイスト・ペア・リボン・ケーブル１０の側面図である。導電接点４０は、ツイスト・ペア・リボン・ケーブル１０に貫通した状態で示してある。ツイスト・ペア電線１２の導電線１４及び１６は、導電接点４０のスロット４４内に配置される。支持部材３８は、導電ビア６０及び６２を有し、導電接点４０を支持部材３８の電気要素に結合する。ビア６０は、ツイスト・ペア導電線線１４に結合された導電接点４０を、支持部材３８の中間面６６に形成された抵抗要素６４に電気的に結合する。この実施において、抵抗要素６４は、既知の厚膜処理を用いて形成された厚膜抵抗である。ビア６２は、支持部材３８の上面７０に形成された接地面を、ツイスト・ペア導電線１６に結合された導電接点４０に電気的に結合する。サブストレートを介して部分的に延びる如きブラインド・ビアは、スルー・ホール・ビアよりも製造がより高価であるので、ビア６０は、好ましくは、接地面６８から分離したスルー・ホール・ビアである。
【００１６】
図４Ｂは、線Ｂ−Ｂ’に沿った支持部材及びツイスト・ペア・リボン・ケーブル１０の側面図を示す。図示する導電接点４０は、ツイスト・ペア・リボン・ケーブル１０に貫通しており、導電接点４０が電気的開放２４のいずれかの側の導電線１４に電気的に結合している。導電ビア６０は、支持部材３８の中間面６６に形成された導電トレース７２に導電接点４０を結合する。導電トレース７２は、中間面６６に形成された厚膜抵抗要素６４に電気的に結合される。その結果の電気回路は、抵抗要素６４を用いて、導電線１４内の電気的開放２４に橋をかける。
【００１７】
図４Ｃは、線Ａ−Ａ’に沿った支持部材３８及びツイスト・ペア・リボン・ケーブル１０の別の実施の側面図を示す。導電接点４０がツイスト・ペア・リボン・ケーブル１０に貫通していることを示す。ツイスト・ペア電線１２の導電線１４及び１６は、導電接点４０のスロット４４内に配置される。この実施において、支持部材３８は、導電ビア６０を有し、支持部材３８の上面７０に配置した抵抗要素６４に導電接点４０を電気的に結合する。この実施においては、中間面６６が存在しない。この実施において、抵抗要素６４は、上面７０に形成された導電トレース７２を介してビアに電気的に結合された個別の抵抗である。接地面６８を支持部材３８の下面７４に形成し、この下面から導電接点４０を延ばす。接地面６８は、ツイスト・ペア電線１２の導電線１６にかみ合う導電接点４０に電気的に結合される。ツイスト・ペア電線１２の導電線１４とかみ合う導電接点４０は、接地面６８から絶縁される。
【００１８】
図５を参照すると、多チャネル分圧信号取込みプローブ８２と共に用いる集中抵抗電気ケーブル８０の平面図が示されている。集中抵抗電気ケーブル８０は、集中抵抗電気ケーブル８０は、平坦非ツイスト部分２０及びツイスト部分２２を有するツイスト・ペア・リボン・ケーブル１０を具えている。ツイスト・ペア・リボン・ケーブル１０の一端での平坦非ツイスト部分２０は、そこに取り付けられた電気コネクタ８４を有する。電気コネクタ８４は、電気接点８６を有し、各伝記接点８６は、ツイスト・ペア電線１２の導電線１４及び１６の一方に電気的に結合される。ツイスト・ペア・リボン・ケーブル１０の他端の平坦非ツイスト部分２０は、そこに取り付けられたプローブ・チップ部材８８を有する。プローブ・チップ部材８８は、プローブ・チップ９０を有し、各プローブ・チップは、ツイスト・ペア電線１２の導電線１４及び１６の一方の電気的に結合されている。一連の結合された抵抗要素６４を有する導電線１４は、多チャネル分圧信号取込みプローブ８２の個別の減衰ネットワークを介して、プローブ・チップに電気的に結合される。ツイスト・ペア・リボン・ケーブル１０の中間平坦部分２０は、そこに取り付けられた抵抗ブロック３０を有し、この抵抗ブロック３０の抵抗要素６４がツイスト・ペア電線１２の導電線１４と直列に抵抗要素６４に結合される。
【００１９】
図６を参照すると、図５の集中抵抗電気ケーブル８０の代わりが示されている。いずれかの端部に取り付けられたプローブ・チップ部材８８及び電気コネクタ８６を有する長い集中抵抗電気ケーブル８０の代わりに、この実施では、一連のより小さな集中抵抗電気ケーブル９０を意図しており、底部ブロック３０は、少ない数のツイスト・ペア・リボン・ケーブル１０の中間平坦部分に取り付けられており、電気コネクタ９２及び９４は、リボン・ケーブル１０のいずれかの端部に取り付けられている。電気コネクタ９２及び９４は、電気接点９６を有し、各伝記接点９６は、ツイスト・ペア電線１２の導電線１４及び１６の一方に電気的に結合される。電気コネクタ９２及び９４は、ハウジング９８及び１００を有し、これらハウジングが互いにかみ合って、１つの集中抵抗電気ケーブル９０を他方に固定する。互いにかみ合ったとき、１つの集中抵抗電気ケーブル９０に取り付けられた電気コネクタ９２の電気接点９６は、他の集中抵抗電気ケーブル９０に取り付けられた電気コネクタ９４の電気接点９６に電気的にかみ合う。かかる実施において、集中抵抗電気ケーブル９０の１つは、プローブ・チップ部材８８を有する。
【００２０】
図７は、集中抵抗電気ケーブル１１０の別の実施例の斜視図である。これまでの図面と同様な要素は、図７では同じ参照符号で示す。ツイスト・ペア・リボン・ケーブル１１２及び１１４は、ＩＤＣ型電気コネクタ１１６及び１１８にて終端される。ツイスト・ペア電線１２の導電線１４及び１６の各々は、電気コネクタ１１６及び１１８に形成された開口１２０に配置された電気接点の１つに結合される。抵抗ブロック１２２は、サブストレート１２４及び電気コネクタ１２６及び１２８を有し、これらコネクタ１２６及び１２８は、コネクタ１１６及び１１８とかみ合う。サブストレート１２４は、そこに形成された抵抗要素を有し、電気コネクタ１２６及び１２８内の導電接点に電気的に結合している。これら導電接点は、次に、ツイスト・ペア電線１２の導電線１４及び１６の一方に電気的に結合している電気コネクタ１１６及び１１８内の導電接点とかみ合う。サブストレート１２４は、電気接点１２６及び１２８内の他の導電接点に電気的に結合している接地面も有する。これら導電接点は、次に、ツイスト・ペア電線１２の導電線１４及び１６の他方に電気的に結合している電気コネクタ１１６及び１１８内の他の導電接点にかみ合う。
【００２１】
図８Ａ〜図８Ｃは、抵抗ブロック１２２の種々の図を示す。図８Ａは、導電接点１３０を示す抵抗ブロック１２２の斜視図である。これまでの図と同様な要素は、図８においても同じ参照符号で示す。各電気コネクタ１２６及び１２８は、ハウジング１３２を有し、ここには、行１３２及び１３４と並列に且つオフセットされて、導電接点１３０が配置されている。導電接点１３０の並行な行１３２及び１３４は、電気コネクタ１１６及び１１８内の開口１２０内の対応する導電接点とかみ合う。導電接点１３０は、ハウジング１３２を介して延び、ハウジングの頂部に接点パッド１３６を形成してもよい。または、導電接点１３０は、サブストレート１２４の接点パッドに半田付けされた各ハウジングから延びる導電リードに電気的に結合されてもよい。導電接点１３０の接触パッド１３６は、サブストレート１２４に形成された接触パッド１３８に電気的に結合される。サブストレート１２４は、電気コンポーネントを受けるのに適する回路基板材又は類似の積層絶縁基板材料から形成してもよい。好ましくは、図８Ｂ及び図８Ｃ内の線Ｃ−Ｃ’及びＤ−Ｄ’に沿った抵抗ブロック１２２の側面図に最良に示すように、電気コネクタ１２６及び１２８の各々の内側行１３４の導電接点１３０は、サブストレート１２４内に形成されたビア１４０を介して、サブストレート１２４の中間面に配置された多数の抵抗要素１３６の１つと電気的に結合される。ビア１４０は、少なくともサブストレート１２４内の中間面１４２に延びる。ここで、一連の抵抗要素１３６は、厚膜処理などを用いて形成される。上述の如く、ブラインド・ビアは、スルー・ホール・ビアよりも製造が高価であるので、ビア１４０は、図８Ｃに示すようにスルー・ホール・ビアが好ましい。各抵抗要素１３６は、電気コネクタ１２６及び１２８の行１３４内で整列された導電接点１３０と電気的に結合された対向ビア１４０の間に電気的に結合される。サブストレート１２４の表面に形成された接地面１４４は、電気コネクタ１２６及び１２８の近傍である。電気コネクタ１２６及び１２８の各々の導電接点１３０の外側の行１３２は、接地面１４４に電気的に結合される。代わりに、接地面１４４は、サブストレート１２４の頂面１４６に形成してもよく、電気コネクタ１２６及び１２８の各々の導電接点１３０の外側の行１３２は、サブストレート１２４内に形成されたスルー・ホール・ビアを介して、接地面１４４に結合される。
【００２２】
抵抗ブロック１２２は、ツイスト・ペア・リボン・ケーブル１１２及び１１４に接続され、抵抗ブロックの電気コネクタ１２６及び１２８は、ツイスト・ペア・リボン・ケーブル１１２及び１１４に取り付けられた電気コネクタ１１６及び１１８にかみ合う。サブストレートの接地面１４４に電気的に結合された電気コネクタ１２６及び１２８の外側行１３２の導電接点１３０は、電気コネクタ１１６及び１１８の開口１２０内の対応する導電接点に電気的に結合される。これら導電接点は、次に、ツイスト・ペア電線１２の各々の導電線１６に電気的に結合される。これらの組の電線１６の電気的連続性は、抵抗ブロック１２２を跨いで維持される。サブストレート１２４内の各抵抗要素１３６に電気的に結合された電気コネクタ１２６及び１２８の内側行１３４の導電接点１３０は、電気コネクタ１１６及び１１８の開口１２０内の対応する導電接点に電気的に結合される。これら導電接点は、次に、ツイスト・ペア電線１２の各々の導電線１４に電気的に結合される。抵抗ブロック１２２内の各抵抗要素１３６の各々は、ツイスト・ペア電線１２の導電線１４内に一連の集中抵抗を提供する。多数のツイスト・ペア・リボン・ケーブル１１２、１１４は、抵抗ブロック１２２と互いに結合して、ケーブルの長さ方向に沿って集中抵抗を有する長いツイスト・ペア・リボン・ケーブルを形成してもよい。
【００２３】
本発明の基本的な原理から逸脱することなく、本発明の上述の実施例の細部に多くの変更をできることが当業者には明らかであろう。よって、本発明の要旨は、特許請求の範囲によって定まる。
【図面の簡単な説明】
【００２４】
【図１】図１は、集中抵抗電気ケーブルに用いるツイスト・ペア・リボン・ケーブルの一部の平面図である。
【図２】図２は、集中抵抗電気ケーブルに用いる抵抗ブロックの分解斜視図である。
【図３】図３は、集中抵抗電気ケーブルにてツイスト・ペア・リボン・ケーブルに取り付けられた抵抗ブロックを示す平面図である。
【図４Ａ】図４Ａは、集中抵抗電気ケーブルにてツイスト・ペア・リボン・ケーブルに取り付けられた抵抗ブロックの種々の図である。
【図４Ｂ】図４Ｂは、集中抵抗電気ケーブルにてツイスト・ペア・リボン・ケーブルに取り付けられた抵抗ブロックの種々の図である。
【図４Ｃ】図４Ｃは、集中抵抗電気ケーブルにてツイスト・ペア・リボン・ケーブルに取り付けられた抵抗ブロックの種々の図である。
【図５】図５は、多チャネル分圧信号取込みプローブに用いる集中抵抗電気ケーブルの平面図である。
【図６】図６は、集中抵抗電気ケーブルの端部に取り付けられた電気コネクタの斜視図である。
【図７】図７は、集中抵抗電気ケーブルの他の実施例の斜視図である。
【図８Ａ】図８Ａは、集中抵抗電気ケーブル内のツイスト・ペア・リボン・ケーブルに取り付け可能な抵抗ブロックの種々の図である。
【図８Ｂ】図８Ｂは、集中抵抗電気ケーブル内のツイスト・ペア・リボン・ケーブルに取り付け可能な抵抗ブロックの種々の図である。
【図８Ｃ】図８Ｃは、集中抵抗電気ケーブル内のツイスト・ペア・リボン・ケーブルに取り付け可能な抵抗ブロックの種々の図である。
【図１】
2009536782.tif 000003
【図２】
2009536782.tif 000004
【図３】
2009536782.tif 000005
【図４Ａ】
2009536782.tif 000006
【図４Ｂ】
2009536782.tif 000007
【図４Ｃ】
2009536782.tif 000008
【図５】
2009536782.tif 000009
【図６】
2009536782.tif 000010
【図７】
2009536782.tif 000011
【図８Ａ】
2009536782.tif 000012
【図８Ｂ】
2009536782.tif 000013
【図８Ｃ】
2009536782.tif 000014
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
複数のツイスト・ペア電線を有するリボン・ケーブルを具え、上記ツイスト・ペア電線の各々が第１及び第２導電線並びに少なくとも第１非ツイスト部分を有し、上記複数のツイスト・ペア電線の各々が上記非ツイスト部分にて上記第１及び第２導電線の一方に形成された電気的開放を有し、
ハウジングを有する上記ツイスト・ペア電線の上記非ツイスト部分に配置された抵抗ブロックを具え、第１ハウジング部材が、そこから延び上記ツイスト・ペア電線の上記第１及び第２導電線の各々に電気的に結合された導電接点を有し、上記導電接点が上記第１及び第２導電線の一方での上記電気的開放のいずれかの側で且つ上記第１及び第２導電線の他方に向かって配置され、抵抗要素が上記電気的開放に跨る上記導電接点と電気的に結合し、上記ハウジングが上記第１ハウジング部材と固定的にかみ合う第２ハウジングを有して、これらの間の上記ツイスト・ペア電線の上記非ツイスト部分を捕捉することを特徴とする集中抵抗電気ケーブル。
【請求項２】
複数のツイスト・ペア電線を有するリボン・ケーブルを具え、上記ツイスト・ペア電線の各々が複数の非ツイスト部分を有し、上記複数のツイスト・ペア電線の各々が上記非ツイスト部分にて上記電線の一つに形成された電気的開放を有し、
上記ツイスト・ペア電線の上記複数の非ツイスト部分の各々に配置された抵抗ブロックを具え、各抵抗ブロックがハウジングを有し、第１ハウジング部材がそこから延び且つツイスト・ペア電線の電線の各々に電気的に結合された導電接点を有し、上記導電接点が上記電気的開放のいずれかの側と一線状で上記他の電線に向かって配置され、抵抗要素が上記電気的開放を跨いで上記導電接点に電気的に結合され、上記ハウジングが上記第１ハウジング部材と固定的にかみ合わされた第２ハウジング部材を有して、それらの間の上記ツイスト・ペア電線の非ツイスト部分を捕捉することを特徴とする集中抵抗電気ケーブル。
【請求項３】
少なくとも第１及び第２リボン・ケーブルを具え、各リボン・ケーブルが複数のツイスト・ペア電線を有し、上記ツイスト・ペア電線の各々が第１及び第２導電線を有し、
少なくとも第１及び第２電気コネクタを具え、上記第１及び第２電気コネクタの一方が上記第１リボン・ケーブルの一端に取り付けられ、上記第２電気コネクタが上記第２リボン・ケーブルの一端に取り付けられ、各電気コネクタが複数の導電接点を有し、各導電接点が上記第１及び第２リボン・ケーブルの一方の上記導電線の１つに電気的に結合され、
サブストレートに取り付けられた第１及び第２電気コネクタを有する抵抗ブロックを具え、上記第１及び第２電気コネクタの各々が複数の導電接点を有し、上記抵抗ブロックの第１及び第２電気コネクタの上記導電接点の各々が上記リボン・ケーブルの第１及び第２電気コネクタの上記導電接点の１つに電気的に結合され、上記サブストレートが複数の抵抗要素を具え、上記ツイスト・ペア電線の各々の上記導電線の１つに電気的に結合された上記第１及び第２抵抗ブロック・コネクタの第１組の上記導電接点に各抵抗要素が電気的に結合され、上記ツイスト・ペア電線の各々の他の上記導電線に電気的に結合された上記サブストレート上に形成された接地面に上記第１及び第２抵抗ブロック電気コネクタの第２組の上記導電接点が電気的に結合されたことを特徴とする集中抵抗電気ケーブル。
【手続補正２】
【補正対象書類名】明細書
【補正対象項目名】全文
【補正方法】変更
【補正の内容】
【発明の詳細な説明】
【発明の背景】
【０００１】
本発明は、一般に、信号取込みプローブ・ケーブルに関し、特に、分圧信号取込みプローブに用いる集中抵抗電気ケーブルに関する。
【０００２】
現在利用可能な分圧信号取込みプローブは、ニッケル・クロミウム抵抗信号線を用いて必要な損失特性を伝送線に均等に分配するか、又は、プローブ入力に充分近くに配置された受信回路を用いて伝送線効果を除去している。前者の場合、抵抗信号線がプローブの分圧入力回路の回路Ｑを下げて、信号の発振を抑圧している。後者の場合、受信回路は、被試験回路への高い入力インピーダンスと、伝送線の特性インピーダンス、一般的には５０オームに合う特性出力インピーダンスとを有する。
【０００３】
現在使用する抵抗信号線に類似の特性の代わりの信号取込みプローブ電気ケーブルが必要とされている。この信号取込みプローブ電気ケーブルは、多チャネル分圧信号取込みプローブ構造を容易にするものでなければならない。信号取込みプローブは、利用可能な汎用コンポーネント技術を容易に用いるものでなければならない。
【発明の概要】
【０００４】
よって、上述の必要性は、多チャネル分圧信号取込みプローブに用いるのに適する集中抵抗電気ケーブルに合致する。この集中抵抗電気ケーブルは、複数のツイスト・ペア電線を有するリボン・ケーブルを具え、各ツイスト・ペアが第１及び第２導電線を有する。ツイスト・ペア・リボン・ケーブルは、少なくとも１つの非ツイスト部分を有する。非ツイスト部分におけるツイスト・ペア電線の第１及び第２導電線の一方は、そこに形成された電気的開放を有する。抵抗ブロックがツイスト・ペア電線の非ツイスト部分に配置される。この抵抗ブロックがハウジングを有し、第１ハウジング部材は、そこから延び、ツイスト・ペア電線の第１及び第２電線の各々に電気的に結合された導電接点を有する。導線接点は、第１及び第２導電線の一方にて電気的開放のいずれかの側の上で、第１及び第２導電線の他方に向かって配置される。抵抗要素は、電気的開放を跨いで導電接点に電気的に結合される。ハウジングは、第１ハウジング部材と固定的にかみ合う第２ハウジング部材を有し、これら２個のハウジング部材の間のツイスト・ペア電線の非ツイスト部分を捕捉する。
【０００５】
抵抗ブロックの第１ハウジング部材は、その凹部と共に実現でき、支持部材に取り付けられた導電接点を受ける。支持部材は、電気的開放の一方の側の導電接点に電気的に結合されるように配置された抵抗要素を有する。抵抗要素は、支持部材内の中間面上に配置され、支持部材に配置された導電ビアを介して導電接点に電気的に結合された厚膜抵抗でもよい。また、抵抗要素は、支持部材内に配置された導電ビアを介して導電接点に電気的に結合された個別の抵抗でもよい。接地面は、支持部材の面に配置され、電気的開放を有さないツイスト・ペア電線の第１及び第２電線の他方に電気的に結合された導電接点に電気的に結合してもよい。
【０００６】
集中抵抗電気ケーブルは、複数の非ツイスト部分を有すツイスト・ペア・リボン・ケーブルと一緒に実現してもよい。非ツイスト部分の各々において、複数のツイスト・ペアの各々における導電線の１つは、電気的開放を有する。ツイスト・ペア電線の非ツイスト部分の各々は、そこに配置された抵抗ブロックを有する。各抵抗ブロックは、導電接点を用いて、ツイスト・ペア電線における電気的開放を跨いで抵抗要素を結合する。他の導電線は、導電接点を用いて、支持部材に配置された接地面にも結合される。
【０００７】
集中抵抗電気ケーブルは、多チャネル分圧信号取込みプローブにて用いることを想定する。かかる実施において、集中抵抗電気ケーブルは、複数のツイスト・ペア電線の導電線の各々に電気的に結合された電気接点を有するリボン・ケーブルの一端に配置された電気コネクタを有する。プローブ・チップ部材は、複数のツイスト・ペア電線の各導電線に電気的に結合されたプローブ・チップを有するリボン・ケーブルの他端に配置される。プローブ・チップは、ツイスト・ペア電線の各々の信号線に結合された各減衰ネットワークを有し、この信号線は、その線内に直列集中抵抗要素を有する。
【０００８】
集中抵抗電気ケーブルは、個別の集中抵抗電気ケーブルを一緒に接続することによって実現してもよい。この実現において、第１電気コネクタがツイスト・ペア集中抵抗リボン・ケーブルの一端に配置され、第２電気コネクタがツイスト・ペア集中抵抗リボン・ケーブルの他端に配置されて、各コネクタは、複数のツイスト・ペア電線の各導電線に電気的に結合された電気接点を有する。ツイスト・ペア集中抵抗リボン・ケーブルの第１電気コネクタは、ツイスト・ペア集中抵抗リボン・ケーブルの第２電気コネクタとかみ合い電気的に結合される。
【０００９】
集中抵抗電気ケーブルの別の実施では、電気コネクタが複数のツイスト・ペアリボン・ケーブルの対抗端に配置される。抵抗ブロックは、サブストレートに取り付けられた第１及び第２電気コネクタを有し、第１及び第２電気コネクタの各々が複数の導電接点を有する。抵抗ブロック電気コネクタの導電接点の各々は、リボン・ケーブル電気コネクタの導電接点の１つに電気的に結合する。サブストレートは複数の抵抗要素を有し、各抵抗要素が抵抗ブロック・コネクタの導電接点の第１組に電気的に結合される。抵抗要素は、リボン・ケーブル・コネクタの導電接点を介してツイスト・ペア電線の各々の導電線の１つに電気的に結合される。抵抗ブロック電気コネクタの導電接点の第２組は、ツイスト・ペア電線の各々の他の導線に電気的に結合されたサブストレート上に形成された接地面に電気的に結合される。多数の抵抗ブロックは、多数のツイスト・ペア・リボン・ケーブルを結合して、このケーブルに沿った多数の集中抵抗を有する長いケーブルを形成する。
【００１０】
本発明の概念は、次のようになる。
（１）複数のツイスト・ペア電線を有するリボン・ケーブルを具え、上記ツイスト・ペア電線の各々が第１及び第２導電線並びに少なくとも第１非ツイスト部分を有し、上記複数のツイスト・ペア電線の各々が上記非ツイスト部分にて上記第１及び第２導電線の一方に形成された電気的開放を有し、
ハウジングを有する上記ツイスト・ペア電線の上記非ツイスト部分に配置された抵抗ブロックを具え、第１ハウジング部材が、そこから延び上記ツイスト・ペア電線の上記第１及び第２導電線の各々に電気的に結合された導電接点を有し、上記導電接点が上記第１及び第２導電線の一方での上記電気的開放のいずれかの側で且つ上記第１及び第２導電線の他方に向かって配置され、抵抗要素が上記電気的開放に跨る上記導電接点と電気的に結合し、上記ハウジングが上記第１ハウジング部材と固定的にかみ合う第２ハウジングを有して、これらの間の上記ツイスト・ペア電線の上記非ツイスト部分を捕捉することを特徴とする集中抵抗電気ケーブル。
（２）複数のツイスト・ペア電線を有するリボン・ケーブルを更に具え、上記ツイスト・ペア電線の各々が複数の非ツイスト部分を有することを特徴とする概念１の集中抵抗電気ケーブル。
（３）上記ツイスト・ペア電線の複数の非ツイスト部分の各々が、上記非ツイスト部分での上記第１及び第２導電線の一方に形成された電気的開放を有することを特徴とする概念２の集中抵抗電気ケーブル。
（４）上記ツイスト・ペア電線の複数の非ツイスト部分の各々に配置された抵抗ブロックを更に具え、各抵抗ブロックがハウジングを有し、ハウジングが第１ハウジング部材を有し、導電接点がそこから延びて上記ツイスト・ペア電線の上記第１及び第２導電線の各々に電気的に結合し、上記導電接点が上記第１及び第２導電線の一方の電気的開放のいずれかの側で且つ上記第１及び第２導電線の他方に向かって配置され、抵抗要素が上記電気的開放を跨ぐ上記導電接点に電気的に結合し、上記ハウジングが上記第１ハウジング部材と固定的にかみ合う第２ハウジング部材を有して、これらの間の上記ツイスト・ペア電線の上記非ツイスト部分を捕捉することを特徴とする概念３の集中抵抗ケーブル。
（５）上記第１ハウジング部材が形成され、その凹部が支持部材に取り付けられた上記導電接点を受け、上記支持部材が上記電気的開放のいずれかの側の導電接点に電気的に結合されて配置された抵抗要素を有することを特徴とする概念１の集中抵抗ケーブル。
（６）上記抵抗要素は、上記支持部材内に配置された導電ビアを介して上記導電接点に電気的に結合された個別の抵抗器であることを特徴とする概念５の集中抵抗ケーブル。
（７）上記支持部材は、上記抵抗要素の反対の表面に配置され、上記ツイスト・ペア電線の第１及び第２導電線の他方に電気的に結合された導電接点に電気的に結合された接地面を更に具えることを特徴とする概念６の集中抵抗ケーブル。
（８）上記抵抗要素は、上記支持部材内の中間面上に配置され、上記支持部材内に配置された導電ビアを介して上記導電接点に電気的に結合された厚膜抵抗であることを特徴とする概念５の集中抵抗ケーブル。
（９）上記導電接点を受ける表面上に配置され、上記ツイスト・ペア電線の上記第１及び第２導電線の他方に電気的に結合された上記導電接点に電気的に結合された接地面を更に具えたことを特徴とする概念８の集中抵抗ケーブル。
（１０）上記複数のツイスト・ペア電線の上記第１及び第２導電線の各々に電気的に結合された導電電接点を有する上記リボン・ケーブルの一端に配置された電気コネクタと、上記複数のツイスト・ペア電線の上記第２１及び第２導電線の各々に電気的に結合されたプローブ・チップを有する上記リボン・ケーブルの他端に配置されたプローブ・チップ・アセンブリとを更に具える概念１の集中抵抗ケーブル。
（１１）上記ツイスト・ペア導電線の上記第１及び第２導電線の一方にて上記電気的開放を跨いで電気的に結合された抵抗要素を有する複数のリボン・ケーブルを更に具え、各リボン・ケーブルが上記リボン・ケーブルの一端に配置された第１電気コネクタと上記リボン・ケーブルの他端に配置された第２電気コネクタとを有し、各コネクタが上記複数のツイスト・ペア導電線の上記第１及び第２導電線の各々に電気的に結合された電気接点を有することを特徴とする概念１０の集中抵抗ケーブル。
（１２）上記プローブ・チップ・アセンブリを有する上記リボン・ケーブルの上記電気コネクタが上記複数のリボン・ケーブルの上記第１及び第２電気コネクタの一方とかみ合い、上記他の複数のリボン・ケーブルの上記第１電気コネクタが上記他の複数のリボン・ケーブルの上記第２電気コネクタをかみ合い且つ電気的に結合されることを特徴とする概念１１の集中抵抗ケーブル。
（１３）複数のツイスト・ペア電線を有するリボン・ケーブルを具え、上記ツイスト・ペア電線の各々が複数の非ツイスト部分を有し、上記複数のツイスト・ペア電線の各々が上記非ツイスト部分にて上記電線の一つに形成された電気的開放を有し、
上記ツイスト・ペア電線の上記複数の非ツイスト部分の各々に配置された抵抗ブロックを具え、各抵抗ブロックがハウジングを有し、第１ハウジング部材がそこから延び且つツイスト・ペア電線の電線の各々に電気的に結合された導電接点を有し、上記導電接点が上記電気的開放のいずれかの側と一線状で上記他の電線に向かって配置され、抵抗要素が上記電気的開放を跨いで上記導電接点に電気的に結合され、上記ハウジングが上記第１ハウジング部材と固定的にかみ合わされた第２ハウジング部材を有して、それらの間の上記ツイスト・ペア電線の非ツイスト部分を捕捉することを特徴とする集中抵抗電気ケーブル。
（１４）上記第１ハウジング部材は、凹部と共に形成されて支持部材状に取り付けられた導電接点を受け、上記支持部材は、上記電気的開放のいずれかの側の導電接点に電気的に結合されるように配置された抵抗要素を有することを特徴とする概念１３の集中抵抗電気ケーブル。
（１５）上記抵抗要素は、上記支持部材に配置された導電ビアを介して上記導電接点に電気的に結合された個別抵抗であることを特徴とする概念１４の集中抵抗電気ケーブル。
（１６）上記支持部材は、上記抵抗要素の反対面に配置され且つ上記ツイスト・ペア電線の上記他の電線に電気的に結合された導電接点に電気的に結合された接地面を更に具えることを特徴とする概念１５の集中抵抗電気ケーブル。
（１７）上記抵抗要素は、上記支持部材の中間面状に配置され且つ上記支持部材に配置された導電ビアを介して上記導電接点に電気的に結合された厚膜抵抗であることを特徴とする概念１４の集中抵抗電気ケーブル。
（１８）上記支持部材は、上記導電接点を受ける面上に配置され且つ上記ツイスト・ペア電線の上記他の電線に電気的に結合された上記導電接点に電気的に結合された接地面を更に具えることを特徴とする概念１７の集中抵抗電気ケーブル。
（１９）上記複数のツイスト・ペア電線の各電線に電気的に結合した電気接点を有する上記リボン・ケーブルの一端に配置された電気コネクタと、上記複数のツイスト・ペア電線の各電線に電気的に結合されたプローブ・チップを有する上記リボン・ケーブルの他端に配置されたプローブ・チップ部材とを更に具えることを特徴とする概念１３の集中抵抗電気ケーブル。
（２０）少なくとも第１及び第２リボン・ケーブルを具え、各リボン・ケーブルが複数のツイスト・ペア電線を有し、上記ツイスト・ペア電線の各々が第１及び第２導電線を有し、
少なくとも第１及び第２電気コネクタを具え、上記第１及び第２電気コネクタの一方が上記第１リボン・ケーブルの一端に取り付けられ、上記第２電気コネクタが上記第２リボン・ケーブルの一端に取り付けられ、各電気コネクタが複数の導電接点を有し、各導電接点が上記第１及び第２リボン・ケーブルの一方の上記導電線の１つに電気的に結合され、
サブストレートに取り付けられた第１及び第２電気コネクタを有する抵抗ブロックを具え、上記第１及び第２電気コネクタの各々が複数の導電接点を有し、上記抵抗ブロックの第１及び第２電気コネクタの上記導電接点の各々が上記リボン・ケーブルの第１及び第２電気コネクタの上記導電接点の１つに電気的に結合され、上記サブストレートが複数の抵抗要素を具え、上記ツイスト・ペア電線の各々の上記導電線の１つに電気的に結合された上記第１及び第２抵抗ブロック・コネクタの第１組の上記導電接点に各抵抗要素が電気的に結合され、上記ツイスト・ペア電線の各々の他の上記導電線に電気的に結合された上記サブストレート上に形成された接地面に上記第１及び第２抵抗ブロック電気コネクタの第２組の上記導電接点が電気的に結合されたことを特徴とする集中抵抗電気ケーブル。
（２１）上記複数のツイスト・ペア電線の上記第１及び第２導電線の各々に電気的に結合されたプローブ・チップを有する上記第１及び第２リボン・ケーブルの一方の対抗端に配置されたプローブ・チップ部材と、上記第１及び第２リボン・ケーブルの他方の対抗端に取り付けられた別の電気コネクタとを更に具えたことを特徴とする概念２０の集中抵抗電気ケーブル。
（２２）複数のリボン・ケーブルを更に具え、各リボン・ケーブルが複数のツイスト・ペア電線を有し、上記ツイスト・ペア電線の各々が第１及び第２導電線を有し、上記複数のリボン・ケーブルの各々が少なくとも第１及び第２電気コネクタを有し、各電気コネクタが複数の導電接点を有し、各導電接点が上記ツイスト・ペア電線の上記導電線の１つに電気的に結合され、複数の抵抗ブロックを更に具え、各抵抗ブロックが上記複数のリボン・ケーブルの少なくとも２個の上記電気コネクタの１つと電気的に結合したことを特徴とする概念２１の集中抵抗電気ケーブル。
【００１１】
本発明の目的、利点及び新規な特徴は、添付の特許請求の範囲及び添付図面を参照した以下の詳細説明から明らかである。
【発明の詳細な説明】
【００１２】
ここで説明する集中抵抗電気ケーブルは、コンピュータ業界で一般に用いる絶縁体無剥離（圧接）技術（ＩＤＣ）を組み込んでいる。この技術は、ＩＤＣリボン・ケーブル及び調和したＩＤＣコネクタを用いる。ＩＤＣ技術は、細いスロットが中心の下となる尖った顎を有するスタッガード導電コネクタを用いて、ケーブル導体又はワイヤの周囲の絶縁体のいくらかを脇にずらすか押す。尖った顎は、ワイヤの周りの絶縁体を貫通し、これらワイヤが導電接点の顎の間のスロットに直接的な電気接続を行う。
【００１３】
図１を参照すると、集中抵抗電気ケーブルで用いるように変更されたＩＤＣリボン・ケーブルの平面図が示されている。リボン・ケーブル１０は、複数のツイスト・ペア電線１２を有しており、各ツイスト・ペアが第１及び第２導電線１４及び１６を有している。ツイスト・ペア電線１２は、絶縁材料１８により包囲されている。ツイスト・ペア・リボン・ケーブル１０は、少なくとも第１非ツイスト平坦部分２０がツイスト・ペア部分２２の間に挟まるように設計されている。非ツイスト平坦部分２０内のツイスト・ペア電線１２は、互いに平行になるように配置されている。集中抵抗電気ケーブルにて用いるために、ツイスト・ペア電線１２の各々の導電線１４又は１６の一方は、リボン・ケーブル１０の平坦部分２０にてワイヤの一部が除去されて、導電線１４又は１６内に電気的開放２４を形成する。図１は、リボン・ケーブル１０内のツイスト・ペア電線１２を示すが、集中抵抗電気ケーブルは、特定の数のツイスト・ペア電線１２に限定されず、より多い又は少ないツイスト・ペア電線１２を有するリボン・ケーブル１０は、集中抵抗電気ケーブルと用いることが意図されている。
【００１４】
図２を参照すると、ツイスト・ペア・リボン・ケーブル１０の非ツイスト平坦部分２０に取り付け可能な抵抗ブロック３０が示されている。抵抗ブロック３０は、ハウジングを有し、第１ハウジング部材３２がツイスト・ペア・リボン・ケーブルの一方の側に位置し、第２ハウジング部材３４が付け１０の他方の側に位置して第１ハウジング部材３２とかみ合って、これら２個のハウジング部材３２及び３４の間でリボン・ケーブル１０を捕捉する。第１ハウジング部材３２は、そこに形成された凹部３６を有し、導電接点４０を固定する支持部材３８を受ける。支持部材３２は、電気コンポーネントを受けるのに適切な回路基板材料又は類似の積層絶縁基板材料で形成されてもよい。導電接点４０は、スロット４４で分離された尖った穿孔部材４２を有するＩＤＣ型接点である。導電接点４０は、ツイスト・ペア電線１４の導電線１４及び１６と揃うように支持部材３８内に配置される。凹部３６は、凹部４６と一緒に形成して、個別の抵抗要素が支持部材３８の上面に位置決めされるのを可能にしてもよい。これについては、詳細に後述する。第１ハウジング部材３２は、第２ハウジング部材３４に形成されたタブ５０を受ける凹部４８を含んでもよい。エポキシの如き接着剤、音波溶接などを用いて、これら凹部４８及びタブ５０を互いに固定できる。代わりに、凹部４８及びタブ５０をラッチ機構で形成して、タブ５０を凹部４８に挿入したときに互いにかみ合うようにしてもよい。更なる代わりに、第１及び第２ハウジング部材３２及び３４をネジで固定してもよく、ネジは第２ハウジング部材３４に形成された開口に挿入されて、第１ハウジング部材３２内のねじ穴にねじ込まれる。
【００１５】
図３を参照すると、ツイスト・ペア・リボン・ケーブル１０に配置された抵抗ブロック３０の平面図が示されている。これまでの図と同様の素子は、図３にて同じ符号で示す。この平面図は、ツイスト・ペア電線１２の導電線１４の電気的開放２４のいずれかの側に配置され、導電線１４に電気的に結合された導電接点４０を示す。また、この平面図は、ツイスト・ペア電線１２の他の導電線１６に配置され電気的に結合された導電接点４０も示す。好ましくは、導電線１６に配置された導電接点４０は、導電線１４に配置された導電接点４０から横方向にオフセットされている。
【００１６】
図４Ａ〜図４Ｃは、ツイスト・ペア・リボン・ケーブル１０に取り付けられた支持部材３８の種々の側面図である。これまでの図と同様の要素は、図４Ａ〜図４Ｃにおいて同じ参照符号で示す。図４Ａは、線Ａ−Ａ’に沿った支持部材３８及びツイスト・ペア・リボン・ケーブル１０の側面図である。導電接点４０は、ツイスト・ペア・リボン・ケーブル１０に貫通した状態で示してある。ツイスト・ペア電線１２の導電線１４及び１６は、導電接点４０のスロット４４内に配置される。支持部材３８は、導電ビア６０及び６２を有し、導電接点４０を支持部材３８の電気要素に結合する。ビア６０は、ツイスト・ペア導電線線１４に結合された導電接点４０を、支持部材３８の中間面６６に形成された抵抗要素６４に電気的に結合する。この実施において、抵抗要素６４は、既知の厚膜処理を用いて形成された厚膜抵抗である。ビア６２は、支持部材３８の上面７０に形成された接地面を、ツイスト・ペア導電線１６に結合された導電接点４０に電気的に結合する。サブストレートを介して部分的に延びる如きブラインド・ビアは、スルー・ホール・ビアよりも製造がより高価であるので、ビア６０は、好ましくは、接地面６８から分離したスルー・ホール・ビアである。
【００１７】
図４Ｂは、線Ｂ−Ｂ’に沿った支持部材及びツイスト・ペア・リボン・ケーブル１０の側面図を示す。図示する導電接点４０は、ツイスト・ペア・リボン・ケーブル１０に貫通しており、導電接点４０が電気的開放２４のいずれかの側の導電線１４に電気的に結合している。導電ビア６０は、支持部材３８の中間面６６に形成された導電トレース７２に導電接点４０を結合する。導電トレース７２は、中間面６６に形成された厚膜抵抗要素６４に電気的に結合される。その結果の電気回路は、抵抗要素６４を用いて、導電線１４内の電気的開放２４に橋をかける。
【００１８】
図４Ｃは、線Ａ−Ａ’に沿った支持部材３８及びツイスト・ペア・リボン・ケーブル１０の別の実施の側面図を示す。導電接点４０がツイスト・ペア・リボン・ケーブル１０に貫通していることを示す。ツイスト・ペア電線１２の導電線１４及び１６は、導電接点４０のスロット４４内に配置される。この実施において、支持部材３８は、導電ビア６０を有し、支持部材３８の上面７０に配置した抵抗要素６４に導電接点４０を電気的に結合する。この実施においては、中間面６６が存在しない。この実施において、抵抗要素６４は、上面７０に形成された導電トレース７２を介してビアに電気的に結合された個別の抵抗である。接地面６８を支持部材３８の下面７４に形成し、この下面から導電接点４０を延ばす。接地面６８は、ツイスト・ペア電線１２の導電線１６にかみ合う導電接点４０に電気的に結合される。ツイスト・ペア電線１２の導電線１４とかみ合う導電接点４０は、接地面６８から絶縁される。
【００１９】
図５を参照すると、多チャネル分圧信号取込みプローブ８２と共に用いる集中抵抗電気ケーブル８０の平面図が示されている。集中抵抗電気ケーブル８０は、集中抵抗電気ケーブル８０は、平坦非ツイスト部分２０及びツイスト部分２２を有するツイスト・ペア・リボン・ケーブル１０を具えている。ツイスト・ペア・リボン・ケーブル１０の一端での平坦非ツイスト部分２０は、そこに取り付けられた電気コネクタ８４を有する。電気コネクタ８４は、電気接点８６を有し、各伝記接点８６は、ツイスト・ペア電線１２の導電線１４及び１６の一方に電気的に結合される。ツイスト・ペア・リボン・ケーブル１０の他端の平坦非ツイスト部分２０は、そこに取り付けられたプローブ・チップ部材８８を有する。プローブ・チップ部材８８は、プローブ・チップ９０を有し、各プローブ・チップは、ツイスト・ペア電線１２の導電線１４及び１６の一方の電気的に結合されている。一連の結合された抵抗要素６４を有する導電線１４は、多チャネル分圧信号取込みプローブ８２の個別の減衰ネットワークを介して、プローブ・チップに電気的に結合される。ツイスト・ペア・リボン・ケーブル１０の中間平坦部分２０は、そこに取り付けられた抵抗ブロック３０を有し、この抵抗ブロック３０の抵抗要素６４がツイスト・ペア電線１２の導電線１４と直列に抵抗要素６４に結合される。
【００２０】
図６を参照すると、図５の集中抵抗電気ケーブル８０の代わりが示されている。いずれかの端部に取り付けられたプローブ・チップ部材８８及び電気コネクタ８６を有する長い集中抵抗電気ケーブル８０の代わりに、この実施では、一連のより小さな集中抵抗電気ケーブル９０を意図しており、底部ブロック３０は、少ない数のツイスト・ペア・リボン・ケーブル１０の中間平坦部分に取り付けられており、電気コネクタ９２及び９４は、リボン・ケーブル１０のいずれかの端部に取り付けられている。電気コネクタ９２及び９４は、電気接点９６を有し、各伝記接点９６は、ツイスト・ペア電線１２の導電線１４及び１６の一方に電気的に結合される。電気コネクタ９２及び９４は、ハウジング９８及び１００を有し、これらハウジングが互いにかみ合って、１つの集中抵抗電気ケーブル９０を他方に固定する。互いにかみ合ったとき、１つの集中抵抗電気ケーブル９０に取り付けられた電気コネクタ９２の電気接点９６は、他の集中抵抗電気ケーブル９０に取り付けられた電気コネクタ９４の電気接点９６に電気的にかみ合う。かかる実施において、集中抵抗電気ケーブル９０の１つは、プローブ・チップ部材８８を有する。
【００２１】
図７は、集中抵抗電気ケーブル１１０の別の実施例の斜視図である。これまでの図面と同様な要素は、図７では同じ参照符号で示す。ツイスト・ペア・リボン・ケーブル１１２及び１１４は、ＩＤＣ型電気コネクタ１１６及び１１８にて終端される。ツイスト・ペア電線１２の導電線１４及び１６の各々は、電気コネクタ１１６及び１１８に形成された開口１２０に配置された電気接点の１つに結合される。抵抗ブロック１２２は、サブストレート１２４及び電気コネクタ１２６及び１２８を有し、これらコネクタ１２６及び１２８は、コネクタ１１６及び１１８とかみ合う。サブストレート１２４は、そこに形成された抵抗要素を有し、電気コネクタ１２６及び１２８内の導電接点に電気的に結合している。これら導電接点は、次に、ツイスト・ペア電線１２の導電線１４及び１６の一方に電気的に結合している電気コネクタ１１６及び１１８内の導電接点とかみ合う。サブストレート１２４は、電気接点１２６及び１２８内の他の導電接点に電気的に結合している接地面も有する。これら導電接点は、次に、ツイスト・ペア電線１２の導電線１４及び１６の他方に電気的に結合している電気コネクタ１１６及び１１８内の他の導電接点にかみ合う。
【００２２】
図８Ａ〜図８Ｃは、抵抗ブロック１２２の種々の図を示す。図８Ａは、導電接点１３０を示す抵抗ブロック１２２の斜視図である。これまでの図と同様な要素は、図８においても同じ参照符号で示す。各電気コネクタ１２６及び１２８は、ハウジング１３２を有し、ここには、行１３２及び１３４と並列に且つオフセットされて、導電接点１３０が配置されている。導電接点１３０の並行な行１３２及び１３４は、電気コネクタ１１６及び１１８内の開口１２０内の対応する導電接点とかみ合う。導電接点１３０は、ハウジング１３２を介して延び、ハウジングの頂部に接点パッド１３６を形成してもよい。または、導電接点１３０は、サブストレート１２４の接点パッドに半田付けされた各ハウジングから延びる導電リードに電気的に結合されてもよい。導電接点１３０の接触パッド１３６は、サブストレート１２４に形成された接触パッド１３８に電気的に結合される。サブストレート１２４は、電気コンポーネントを受けるのに適する回路基板材又は類似の積層絶縁基板材料から形成してもよい。好ましくは、図８Ｂ及び図８Ｃ内の線Ｃ−Ｃ’及びＤ−Ｄ’に沿った抵抗ブロック１２２の側面図に最良に示すように、電気コネクタ１２６及び１２８の各々の内側行１３４の導電接点１３０は、サブストレート１２４内に形成されたビア１４０を介して、サブストレート１２４の中間面に配置された多数の抵抗要素１３６の１つと電気的に結合される。ビア１４０は、少なくともサブストレート１２４内の中間面１４２に延びる。ここで、一連の抵抗要素１３６は、厚膜処理などを用いて形成される。上述の如く、ブラインド・ビアは、スルー・ホール・ビアよりも製造が高価であるので、ビア１４０は、図８Ｃに示すようにスルー・ホール・ビアが好ましい。各抵抗要素１３６は、電気コネクタ１２６及び１２８の行１３４内で整列された導電接点１３０と電気的に結合された対向ビア１４０の間に電気的に結合される。サブストレート１２４の表面に形成された接地面１４４は、電気コネクタ１２６及び１２８の近傍である。電気コネクタ１２６及び１２８の各々の導電接点１３０の外側の行１３２は、接地面１４４に電気的に結合される。代わりに、接地面１４４は、サブストレート１２４の頂面１４６に形成してもよく、電気コネクタ１２６及び１２８の各々の導電接点１３０の外側の行１３２は、サブストレート１２４内に形成されたスルー・ホール・ビアを介して、接地面１４４に結合される。
【００２３】
抵抗ブロック１２２は、ツイスト・ペア・リボン・ケーブル１１２及び１１４に接続され、抵抗ブロックの電気コネクタ１２６及び１２８は、ツイスト・ペア・リボン・ケーブル１１２及び１１４に取り付けられた電気コネクタ１１６及び１１８にかみ合う。サブストレートの接地面１４４に電気的に結合された電気コネクタ１２６及び１２８の外側行１３２の導電接点１３０は、電気コネクタ１１６及び１１８の開口１２０内の対応する導電接点に電気的に結合される。これら導電接点は、次に、ツイスト・ペア電線１２の各々の導電線１６に電気的に結合される。これらの組の電線１６の電気的連続性は、抵抗ブロック１２２を跨いで維持される。サブストレート１２４内の各抵抗要素１３６に電気的に結合された電気コネクタ１２６及び１２８の内側行１３４の導電接点１３０は、電気コネクタ１１６及び１１８の開口１２０内の対応する導電接点に電気的に結合される。これら導電接点は、次に、ツイスト・ペア電線１２の各々の導電線１４に電気的に結合される。抵抗ブロック１２２内の各抵抗要素１３６の各々は、ツイスト・ペア電線１２の導電線１４内に一連の集中抵抗を提供する。多数のツイスト・ペア・リボン・ケーブル１１２、１１４は、抵抗ブロック１２２と互いに結合して、ケーブルの長さ方向に沿って集中抵抗を有する長いツイスト・ペア・リボン・ケーブルを形成してもよい。
【００２４】
本発明の基本的な原理から逸脱することなく、本発明の上述の実施例の細部に多くの変更をできることが当業者には明らかであろう。よって、本発明の要旨は、特許請求の範囲によって定まる。
【図面の簡単な説明】
【００２５】
【図１】図１は、集中抵抗電気ケーブルに用いるツイスト・ペア・リボン・ケーブルの一部の平面図である。
【図２】図２は、集中抵抗電気ケーブルに用いる抵抗ブロックの分解斜視図である。
【図３】図３は、集中抵抗電気ケーブルにてツイスト・ペア・リボン・ケーブルに取り付けられた抵抗ブロックを示す平面図である。
【図４Ａ】図４Ａは、集中抵抗電気ケーブルにてツイスト・ペア・リボン・ケーブルに取り付けられた抵抗ブロックの種々の図である。
【図４Ｂ】図４Ｂは、集中抵抗電気ケーブルにてツイスト・ペア・リボン・ケーブルに取り付けられた抵抗ブロックの種々の図である。
【図４Ｃ】図４Ｃは、集中抵抗電気ケーブルにてツイスト・ペア・リボン・ケーブルに取り付けられた抵抗ブロックの種々の図である。
【図５】図５は、多チャネル分圧信号取込みプローブに用いる集中抵抗電気ケーブルの平面図である。
【図６】図６は、集中抵抗電気ケーブルの端部に取り付けられた電気コネクタの斜視図である。
【図７】図７は、集中抵抗電気ケーブルの他の実施例の斜視図である。
【図８Ａ】図８Ａは、集中抵抗電気ケーブル内のツイスト・ペア・リボン・ケーブルに取り付け可能な抵抗ブロックの種々の図である。
【図８Ｂ】図８Ｂは、集中抵抗電気ケーブル内のツイスト・ペア・リボン・ケーブルに取り付け可能な抵抗ブロックの種々の図である。
【図８Ｃ】図８Ｃは、集中抵抗電気ケーブル内のツイスト・ペア・リボン・ケーブルに取り付け可能な抵抗ブロックの種々の図である。
【国際調査報告】
2009536782.tif 000015
2009536782.tif 000016